(57)【要約】      （修正有）【課題】量子波の照射による患部の治療効果を高める。【解決手段】量子波治療器１は、量子波発生器２と、量子波照射器４とを備える。量子波照射器４を、発振板と、樹脂に量子波を反射する半導体パウダーが練り込まれて成る樹脂パネルとを備えて構成する。また、量子波発生器２を、ＡＣアダプター６３と、その出力平滑コンデンサ６１の負極側と直列に接続されて直列共振回路６を構成するコイル６２とを備えて構成する。したがって、ＡＣアダプター６３からの負電位に、外来電磁波５から直列共振回路６に誘導された起電圧が重畳された電圧が発振板に与えられることで、量子波を効率的に発生させることができる。さらに、発振板から輻射された量子波は、患部３１に照射されるが、反射された量子波は、樹脂パネルの半導体パウダーで反射されて、再度、患部３１へ照射されることを繰返し、漏らさず照射できる。【選択図】図１
2017209323.tif 000002
【特許請求の範囲】
【請求項１】
量子波発生器と、被照射箇所に近接して配置され、前記量子波発生器で発生された量子波を照射する量子波照射器とを備えて構成される量子波治療器であって、
前記量子波発生器は、
商用交流を整流および平滑化するＡＣアダプターと、
前記ＡＣアダプターにおける出力平滑コンデンサの負極側と直列に接続されて直列の共振回路を構成するコイルとを備え、
前記量子波照射器は、
前記コイルに接続される発振板と、
樹脂に、量子波を反射する半導体パウダーが練り込まれて成り、前記発振板に貼付けられて前記被照射箇所との間に介在される樹脂パネルとを備えて構成されることを特徴とする量子波治療器。
【請求項２】
量子波発生器と、被照射箇所に近接して配置され、前記量子波発生器で発生された量子波を照射する量子波照射器とを備えて構成される量子波治療器であって、
前記量子波発生器は、
単相２線の商用交流のラインの片方に介在されるＬＣ並列の共振回路と、
単相２線の商用交流のラインの両方に、それぞれ、カソード側が前記商用交流の電源側となるように直列に介在されるダイオードと、
前記ダイオードのアノード側が並列に接続される抵抗とを備え、
前記量子波照射器は、
前記抵抗に接続される発振板と、
樹脂に、量子波を反射する半導体パウダーが練り込まれて成り、前記発振板に貼付けられて前記被照射箇所との間に介在される樹脂パネルとを備えて構成されることを特徴とする量子波治療器。
【請求項３】
前記共振回路の共振周波数は、２〜２０００Ｈｚ、好ましくは２〜１００Ｈｚであることを特徴とする請求項１または２記載の量子波治療器。
【請求項４】
前記半導体パウダーは、２〜２０重量％、特に好ましくは５重量％含有されていることを特徴とする請求項１〜３の何れか１項に記載の量子波治療器。
【請求項５】
前記半導体パウダーが５重量％含有されている場合、前記樹脂パネルは２ｍｍ以上の板厚に形成されることを特徴とする請求項４記載の量子波治療器。
【請求項６】
前記半導体パウダーは、金属酸化物および／またはケイ酸塩化合物であることを特徴とする請求項１〜５の何れか１項に記載の量子波治療器。
【請求項７】
前記金属酸化物は、酸化亜鉛、酸化チタン、酸化ジルコニウム、ケイ酸マグネシウム、酸化アルミニウムの少なくとも１つを含むことを特徴とする請求項６記載の量子波治療器。
【請求項８】
前記樹脂には、導電性を持たせるための金属パウダーが、さらに練り込まれていることを特徴とする請求項１〜７の何れか１項に記載の量子波治療器。
【請求項９】
前記半導体パウダーおよび金属パウダーは、１０〜１００μｍ、特に好ましくは３０〜５０μｍの粉体であることを特徴とする請求項８記載の量子波治療器。
【発明の詳細な説明】
【技術分野】
【０００１】
本発明は、被照射箇所、たとえば人や動物の患部に量子波を照射することで、前記被照射箇所を活性化し、治療を行う量子波治療器に関する。
【背景技術】
【０００２】
上述のような量子波治療器は、たとえば本件発明者によって、特許文献１で提案されている。その従来技術によれば、商用交流の片方のラインに、ＬＣ並列の共振回路と、ダイオードと、安全抵抗とを直列に介在している。これによって、商用交流には、外来電磁波から共振回路に誘導された起電圧が重畳された電圧が発生し、その内、ダイオードで取出した負の成分を、人体の患部組織に接触させた発振板に与えている。そうすることで、発振板を構成する素材原子の外殻電子軌道に変動を生じさせ、それによる素材原子の陽子の振動によって、量子波を発生させている。量子としては、光子、電子、クウォーク、ニュートリノ等が挙げられる。
【０００３】
この量子波を用いることで、従来からの治療器で広く用いられているマイクロ波、電磁波、電気パルスなどに比べて、簡単かつ安価な治療器を実現している。そして、その従来からの治療器では、肩凝り、打ち身、痛み等、皮膚に近い部分の疾患には比較的高い治療効果を有するものの、切り傷、リューマチ、神経痛、糖尿病、前立腺肥大等の人体深部に生じた疾患に対しては殆ど治療効果が得られないのに対して、特許文献１は、その深部の疾患にも有効な優れた治療器である。
【先行技術文献】
【特許文献】
【０００４】
【特許文献１】特許第５６８４４３４号公報
【発明の概要】
【発明が解決しようとする課題】
【０００５】
しかしながら、特許文献１の治療器を製作してからも、数多くの症例を重ねるうちに、より治療効果の大きい、大きな量子波を発生し、さらに、発生した量子波を効率的に利用できる構成を、本件発明者は発明するに至った。
【０００６】
本発明の目的は、より治療効果の大きい量子波治療器を提供することである。
【課題を解決するための手段】
【０００７】
本発明の量子波治療器は、量子波発生器と、被照射箇所に近接して配置され、前記量子波発生器で発生された量子波を照射する量子波照射器とを備えて構成される量子波治療器であって、前記量子波発生器は、商用交流を整流および平滑化するＡＣアダプターと、前記ＡＣアダプターにおける出力平滑コンデンサの負極側と直列に接続されて直列の共振回路を構成するコイルとを備え、前記量子波照射器は、前記コイルに接続される発振板と、  樹脂に、量子波を反射する半導体パウダーが練り込まれて成り、前記発振板に貼付けられて前記被照射箇所との間に介在される樹脂パネルとを備えて構成されることを特徴とする。
【０００８】
上記の構成によれば、量子波発生器で発生された量子波を、被照射箇所、たとえば人や動物の患部に、近接させた量子波照射器から照射することで、前記被照射箇所を活性化し、治療を行う量子波治療器であって、量子波の発生および照射を、以下のような格別の構成で行う。
【０００９】
先ず、量子波発生器は、商用交流を整流および平滑化するＡＣアダプターと、前記ＡＣアダプターにおける出力平滑コンデンサの負極側と直列に接続されて直列の共振回路を構成するコイルとを備えて構成する。これによって、負電位に、外来電磁波から前記直列の共振回路に誘導された起電圧が重畳され、その負の電位変動が発振板に与えられることで、該発振板を構成する素材原子の外殻電子軌道に変動を生じさせ、それによる前記素材原子の陽子の振動によって、量子波を効率的に発生させることができる。
【００１０】
次に、発振板から輻射された量子波は、被照射箇所に照射されるが、被照射箇所から患部内などへ浸透せず、反射されてしまった量子波は、樹脂パネルの半導体パウダーで反射されて、再度、前記被照射箇所へ照射されることを繰返す。
【００１１】
したがって、効率的に作成された量子波を、漏らさず、被照射箇所に照射することができ、治療効果を高めることができる。
【００１２】
また、本発明の量子波治療器は、量子波発生器と、被照射箇所に近接して配置され、前記量子波発生器で発生された量子波を照射する量子波照射器とを備えて構成される量子波治療器であって、前記量子波発生器は、単相２線の商用交流のラインの片方に介在されるＬＣ並列の共振回路と、単相２線の商用交流のラインの両方に、それぞれ、カソード側が前記商用交流の電源側となるように直列に介在されるダイオードと、前記ダイオードのアノード側が並列に接続される抵抗とを備え、前記量子波照射器は、前記抵抗に接続される発振板と、樹脂に、量子波を反射する半導体パウダーが練り込まれて成り、前記発振板に貼付けられて前記被照射箇所との間に介在される樹脂パネルとを備えて構成されることを特徴とする。
【００１３】
上記の構成によれば、量子波発生器で発生された量子波を、被照射箇所、たとえば人や動物の患部に、近接させた量子波照射器から照射することで、前記被照射箇所を活性化し、治療を行う量子波治療器であって、量子波の発生および照射を、以下のような格別の構成で行う。
【００１４】
先ず、量子波発生器は、単相２線の商用交流のラインの片方に介在されるＬＣ並列の共振回路と、単相２線の商用交流のラインの両方に、それぞれ、カソード側が前記商用交流の電源側となるように直列に介在されるダイオードと、前記ダイオードのアノード側が並列に接続される抵抗とを備えて構成する。これによって、商用交流に、外来電磁波から前記並列の共振回路に誘導された起電圧が重畳され、その負の電位変動がダイオードで取出されて、安全抵抗を介して発振板に与えられることで、該発振板を構成する素材原子の外殻電子軌道に変動を生じさせ、それによる前記素材原子の陽子の振動によって、量子波を効率的に発生させることができる。
【００１５】
次に、発振板から輻射された量子波は、被照射箇所に照射されるが、被照射箇所から患部内などへ浸透せず、反射されてしまった量子波は、樹脂パネルの半導体パウダーで反射されて、再度、前記被照射箇所へ照射されることを繰返す。
【００１６】
したがって、効率的に作成された量子波を、漏らさず、被照射箇所に照射することができ、治療効果を高めることができる。
【００１７】
さらにまた、本発明の量子波治療器では、前記共振回路の共振周波数は、２〜２０００Ｈｚ、好ましくは２〜１００Ｈｚであることを特徴とする。
【００１８】
上記の構成によれば、人の血行改善効果を得ることができ、肩凝りやむくみが解消したり、傷口が早く治ったりするようになる。
【００１９】
また、本発明の量子波治療器では、前記半導体パウダーは、２〜２０重量％、特に好ましくは５重量％含有されていることを特徴とする。
【００２０】
上記の構成によれば、本件発明者の実験結果では、半導体パウダーの濃度に対して、量子波の反射率は、２重量％程度で飽和を始めるので、最小の含有量はこの２重量％とすることで、コストパフォーマンスを高めることができる。そして、濃度ばらつきなどを考慮して、最適値は、５重量％とするのがよい。一方、最大値は、２０重量％でほぼ完全に飽和するので、材料費を抑え、また樹脂の強度低下を抑えるためにも、この２０重量％とするのがよい。
【００２１】
さらにまた、本発明の量子波治療器では、前記半導体パウダーが５重量％含有されている場合、前記樹脂パネルは２ｍｍ以上の板厚に形成されることを特徴とする。
【００２２】
上記の構成によれば、樹脂パネルが厚ければ、反射の効果が大きくなるが、コストが掛る。
【００２３】
したがって、樹脂パネルを２ｍｍ以上の板厚とすることで、半導体パウダーが５重量％含有されている場合における所期の反射率を得ることができる。また、２ｍｍとすることで、コストパフォーマンスを高めることができる。
【００２４】
また、本発明の量子波治療器では、前記半導体パウダーは、金属酸化物および／またはケイ酸塩化合物であることを特徴とする。
【００２５】
上記の構成によれば、本件発明者の実験結果では、半導体パウダーとしては、金属酸化物やケイ酸塩化合物が、量子波を反射させる効果が大きい。前記金属酸化物としては、酸化亜鉛、酸化チタン、酸化ジルコニウム、ケイ酸マグネシウム、酸化アルミニウムの少なくとも１つを含むことが好ましい。また、前記金属酸化物やケイ酸塩化合物は、複数種類が組合わせて用いられることが好ましい。
【００２６】
さらにまた、本発明の量子波治療器では、前記樹脂には、導電性を持たせるための金属パウダーが、さらに練り込まれていることを特徴とする。
【００２７】
上記の構成によれば、前記樹脂には、金属酸化物やケイ酸塩化合物などの半導体パウダーに、導電性を持たせるための金属パウダーが、さらに練り込まれていることで、前記量子波を反射させる効果をより大きくすることができる。
【００２８】
また、本発明の量子波治療器では、前記半導体パウダーおよび金属パウダーは、１０〜１００μｍ、特に好ましくは３０〜５０μｍの粉体であることを特徴とする。
【００２９】
上記の構成によれば、前記量子波を反射させる効果をより大きくすることができる。
【発明の効果】
【００３０】
本発明の量子波治療器は、以上のように、量子波照射器を、発振板と、樹脂に量子波を反射する半導体パウダーが練り込まれて成る樹脂パネルとを備えて構成するとともに、量子波発生器を、ＡＣアダプターと、その出力平滑コンデンサの負極側と直列に接続されて直列の共振回路を構成するコイルとを備えて構成し、或いは単相２線の商用交流のラインの片方に介在されるＬＣ並列の共振回路と、前記ラインの両方にカソード側が電源側となるように直列に介在されるダイオードと、前記ダイオードのアノード側が並列に接続される抵抗とを備えて構成する。
【００３１】
それゆえ、量子波発生器で量子波を効率的に発生させ、量子波照射器による反射で、漏らさず、被照射箇所に照射することができ、治療効果を高めることができる。
【図面の簡単な説明】
【００３２】
【図１】本発明の実施の一形態に係る量子波治療器の構成および使用方法を模式的に示す図である。
【図２】前記量子波治療器に用いられる量子波照射器の断面図である。
【図３】本発明の実施の他の形態に係る量子波治療器の構成および使用方法を模式的に示す図である。
【発明を実施するための形態】
【００３３】
（実施の形態１）
図１は、本発明の実施の一形態に係る量子波治療器１の構成および使用方法を模式的に示す図である。この量子波治療器１は、量子波発生器２で発生された量子波を、被照射箇所、たとえば人体３の患部３１に接触させた量子波照射器４から照射することで、患部３１を活性化し、治療を行うものである。量子波照射器４は、治療を必要とする患部３１へ直接に接触させるだけでなく、数ｃｍ程度の間隔であれば、患部３１の近傍へ配置するだけでもよい。
【００３４】
量子波の発生メカニズムとしては、負電位に、外来電磁波５から直列共振回路６に誘導された起電圧を重畳し、その負の電位変動が、量子波照射器４の発振板４１（図２図示）に与えられることで、該発振板４１を構成する素材原子の外殻電子軌道に変動を生じさせ、それによる前記素材原子の、陽子（プラスイオン）の振動に基づき量子波が放射されるというものである。これによって、発振板４１に接触またはその近傍に位置する患部３１の組織の分子や原子の振動が激しくなる。
【００３５】
また、前記電位変動に伴って、発振板４１近傍の電場が変動すると、生物組織を構成する分子や原子の集団が振動を繰返し、水や液体の場合にはクラスターが小さくなる等により、その活性が変化する。具体的には、直列共振回路６の誘起起電力の周波数が生物組織の分子や原子の振動と共振すると、生物組織等の活性化が促進され、その結果、血行の促進や新陳代謝が高まることになる。また、負の電場変動によって電子が付加されることで、生物組織内の水分の還元性が高まり、組織の酸化が仰制されて化膿等の防止効果が得られる。
【００３６】
ここで、直列共振回路６の共振周波数は、２〜２０００Ｈｚ、好ましくは２〜１００Ｈｚである。したがって、共振周波数は非常に低周波で、直列共振回路６を構成するコンデンサ６１の容量およびコイル６２のインダクタンスは比較的大きい。そこで、本実施形態では、直列共振回路６を構成するコンデンサ６１に、ＡＣアダプター６３における出力平滑コンデンサを用いる。
【００３７】
ＡＣアダプター６３は、整流回路６４と、平滑コンデンサ６５と、高周波トランス６６と、スイッチング素子６７と、ダイオード６８と、前記コンデンサ６１とを備えて構成される。
【００３８】
整流回路６４は、商用電源７からの交流を全波整流する。その整流された脈流は、平滑コンデンサ６５で平滑化される。前記平滑コンデンサ６５の端子間には直列に、高周波トランス６６の１次巻線およびスイッチング素子６７が接続されている。したがって、前記平滑コンデンサ６５を電源として、スイッチング素子６７のスイッチングで高周波トランス６６の２次巻線に誘起された電圧は、該２次巻線にカソードが接続されたダイオード６８のアノードから負の成分のみが取出され、前記コンデンサ６１によって平滑化されて出力される。このＡＣアダプター６３の出力電圧は、たとえば１２〜４８Ｖである。
【００３９】
コイル６２は、ＡＣアダプター６３におけるコンデンサ６１の負極側と直列に接続されて、前記直列共振回路６を構成する。この直列共振回路６において、外来電磁波５から誘導された起電圧を、ＡＣアダプター６３から出力された負電位に重畳し、安全抵抗６９を介して、端子２１から出力する。端子２１には、ケーブル２２を介して、発振板４１が接続される。量子波発生器２では、複数の端子２１が並列に設けられている。
【００４０】
図２を参照して、量子波照射器４は、発振板４１と、該発振板４１の表面に貼付けられて、患部３１との間に介在される樹脂パネル４２とを備えて構成される。発振板４１は、アルミ、ステンレス、チタン、鉄などの金属板から成る。注目すべきは、この樹脂パネル４２は、樹脂４２１に、量子波を反射する半導体パウダー４２２が練り込まれて構成されることである。
【００４１】
上述のように構成される量子波治療器１によれば、ＡＣアダプター６３からの負電位に、外来電磁波５から直列共振回路６に誘導された起電圧が重畳された電圧が発振板４１に与えられることで、量子波を効率的に発生させることができる。さらに、発振板４１から輻射された量子波は、患部３１に照射されるが、患部３１内などへ浸透せず、反射されてしまった量子波は、樹脂パネル４２の半導体パウダー４２２で反射されて、再度、患部３１へ照射されることを繰返す。こうして、効率的に作成された量子波を、漏らさず、患部３１に照射することができ、治療効果を高めることができる。
【００４２】
そして、直列共振回路６の共振周波数が、２〜２０００Ｈｚ、好ましくは２〜１００Ｈｚであることで、人の血行改善効果を得ることができ、肩凝りやむくみが解消したり、傷口が早く治ったりするようになる。そのため、たとえばコイル６２のインダクタンスは、１０００〜１５００ｍＨである。
【００４３】
また、上述のように構成される量子波照射器４において、本件発明者の実験結果によれば、半導体パウダー４２２の濃度に対して、量子波の反射率は、２重量％程度で飽和を始めるので、最小の含有量は、この２重量％とすることが好ましい。そうすることで、コストパフォーマンスを高めることができる。そして、濃度ばらつきなどを考慮して、最適値は、５重量％とするのが、特に好ましい。一方、最大値は、２０重量％でほぼ完全に飽和するので、材料費を抑え、また樹脂４２１の強度低下を抑えるためにも、この２０重量％とするのが好ましい。
【００４４】
さらに、樹脂パネル４２は、ＡＢＳなどの樹脂４２１に、半導体パウダー４２２が練り込まれ、成型によって形成される。この樹脂パネル２０２が、厚ければ反射の効果が大きくなるが、コストが掛る。そこで、樹脂パネル４２を２ｍｍ以上の板厚とすることで、半導体パウダー４２２が前記５重量％含有されている場合における所期の反射率を得ることができる。また、２ｍｍとすることで、コストパフォーマンスを高めることができる。
【００４５】
また、本件発明者の実験結果によれば、半導体パウダー４２２としては、金属酸化物やケイ酸塩化合物が、量子波を反射させる効果が大きく、好適である。前記金属酸化物としては、酸化亜鉛、酸化チタン、酸化ジルコニウム、ケイ酸マグネシウム、酸化アルミニウムの少なくとも１つを含むことが好ましい。また、前記金属酸化物やケイ酸塩化合物は、複数種類が組合わせて用いられることが好ましい。さらに、上記の金属酸化物やケイ酸塩化合物は、精製された鉱物ではなく、天然鉱物のままで、それらを含む鉱石を粉砕して使用してもよい。
【００４６】
さらに、樹脂４２１には、導電性を持たせるための金属パウダーが練り込まれていることが好ましい。金属パウダーとしては、たとえば錫や亜鉛の粉末である。このように半導体パウダー４２２に金属パウダーが練り込まれていることで、樹脂パネル４２が量子波を反射する効果をより大きくすることができる。そして、これらの半導体パウダー４２２および金属パウダーは、１０μｍ以上、１００μｍ以下、特に好ましくは３０μｍ以上、５０μｍ以下（たとえば３２５メッシュ）の粉体とすることで、樹脂パネル４２が量子波を反射する効果をより大きくすることができる。
（実施の形態２）
図３は、本発明の実施の他の形態に係る量子波治療器１ａの構成および使用方法を模式的に示す図である。この量子波治療器１ａは、量子波発生器８が異なるだけで、量子波照射器４は上述の量子波治療器１と同一であり、対応する部分には同一の参照符号を付して、その説明を省略する。
【００４７】
すなわち、量子波発生器８は、単相２線の商用電源７からの片方の交流ライン７１に介在されるＬＣ並列共振回路９と、単相２線の両方の交流のライン７１，７２に、それぞれ、カソード側が前記商用電源７側となるように直列に介在されるダイオード９３，９４と、ダイオード９３，９４のアノード側が並列に接続される安全抵抗９５とを備えて構成される。ＬＣ並列共振回路９は、コンデンサ９１およびコイル９２を備えて構成され、その共振周波数は、前記２〜２０００Ｈｚ、好ましくは２〜１００Ｈｚである。
【００４８】
こうして、ＬＣ並列共振回路９に外来電磁波５から誘導された起電圧が、ダイオード９３，９４による負の電位（実効１００Ｖ）変動に重畳され、安全抵抗９５から端子２１およびケーブル２２を介して、発振板４１に与えられ、同様に量子波を発生する。先の特許文献１の図１では、商用電源７からのラインは、１本（本実施形態の場合の７１）しか使用されていないが、ライン７１，７２の何れが、柱上変圧器内で接地されていても効果が得られるように、本実施形態では、もう１本のライン７２にも、ダイオード９４を挿入して、ダイオード９３と、アノード側を共通に安全抵抗９５に接続している。
【００４９】
このように構成してもまた、効率的に作成された量子波を、漏らさず、患部３１に照射することができ、治療効果を高めることができる。また、前記ＬＣ並列共振回路９の共振周波数が高い場合には、高周波の変動電場と、低（商用）周波の変動電場とが患部３１に相乗的に作用することになり、患部３１の治癒に対するより高い相乗効果を発揮することができる。
【符号の説明】
【００５０】
１，１ａ    量子波治療器
２    量子波発生器
２１    端子
２２    ケーブル
３    人体
３１    患部
４    量子波照射器
４１    発振板
４２    樹脂パネル
４２１  樹脂
４２２  半導体パウダー
５    外来電磁波
６    直列共振回路
６１    コンデンサ
６２    コイル
６３    ＡＣアダプター
６４    整流回路
６５    平滑コンデンサ
６６    高周波トランス
６７    スイッチング素子
６８    ダイオード
６９    安全抵抗
７    商用電源
７１，７２    交流ライン
８    量子波発生器
９    ＬＣ並列共振回路
９１    コンデンサ
９２    コイル
９３，９４    ダイオード
９５    安全抵抗
【図１】
2017209323.tif 000003
【図２】
2017209323.tif 000004
【図３】
2017209323.tif 000005